【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
記録媒体を搬送する搬送部と、
前記記録媒体の搬送方向と交わる方向にノズルが配列された第１のノズル列及び第２のノズル列を前記搬送方向と交わる方向の所定の範囲でオーバーラップして配置する記録ヘッドと、
前記第１のノズル列及び第２のノズル列のノズルの吐出不良を検出するノズルチェックを実行するノズルチェック実行部と、を備え、
前記ノズルチェック実行部は、
前記ノズルチェックの際、前記所定の範囲にある前記ノズルのうち、一部の前記ノズルにノズルチェックを行うことを特徴とする記録装置。
【請求項２】
前記記録ヘッドを制御して前記記録媒体への記録を実行する記録実行部を備え、
前記ノズルチェック実行部は、
前記ノズルチェックの際、前記所定の範囲にある前記ノズルのうち、前記記録実行部が実行する前記記録媒体への記録の際に使用しない前記ノズルを特定し、特定した前記ノズルを除く前記ノズルの一部に前記ノズルチェックを行う請求項１に記載の記録装置。
【請求項３】
前記記録実行部による記録に際し、前記所定の範囲の前記第１のノズル列のノズルでインクを吐出して記録する単独吐出モードを備え、
前記ノズルチェック実行部は、
前記ノズルチェックの際、前記単独吐出モードである場合、
前記所定の範囲の前記第１のノズル列のノズルの一部にノズルチェックを行う請求項１又は２に記載の記録装置。
【請求項４】
前記記録媒体の幅を検出する幅検出部を備え、
前記ノズルチェック実行部は、
前記ノズルチェックの際、前記幅検出部により検出された前記記録媒体の幅に基づいて、前記記録媒体の記録領域の外側に位置する前記ノズルを特定し、特定した前記ノズルについては前記ノズルチェックの対象から外す請求項１ないし４のいずれか１項に記載の記録装置。
【請求項５】
記録媒体を搬送する搬送部と、
前記記録媒体の搬送方向と交わる方向にノズルが配列された第１のノズル列及び第２のノズル列を前記搬送方向と交わる方向の所定の範囲でオーバーラップして配置する記録ヘッドと、を有し、
前記第１のノズル列及び第２のノズル列のノズルの吐出不良を検出するノズルチェックの際、前記所定の範囲にある前記ノズルの一部の前記ノズルにノズルチェックを行うことを特徴とする記録装置の制御方法。
【請求項６】
記録媒体を搬送する搬送部と、
前記記録媒体の搬送方向と交わる方向にノズルが配列された第１のノズル列及び第２のノズル列を前記搬送方向と交わる方向の所定の範囲でオーバーラップして配置する記録ヘッドと、を備える記録装置を制御する制御部により実行されるプログラムであって、
前記制御部を、
前記第１のノズル列及び第２のノズル列のノズルの吐出不良を検出するノズルチェックを実行させ、前記ノズルチェックの際、前記所定の範囲にある前記ノズルの一部の前記ノズルにノズルチェックを行わせるノズルチェック実行部として機能させることを特徴とするプログラム。
【手続補正２】
【補正対象書類名】明細書
【補正対象項目名】０００５
【補正方法】変更
【補正の内容】
【０００５】
上記目的を達成するために、本発明の記録装置は、記録媒体を搬送する搬送部と、前記記録媒体の搬送方向と交わる方向にノズルが配列された第１のノズル列及び第２のノズル列を前記搬送方向と交わる方向の所定の範囲でオーバーラップして配置する記録ヘッドと、前記第１のノズル列及び第２のノズル列のノズルの吐出不良を検出するノズルチェックを実行するノズルチェック実行部と、を備え、前記ノズルチェック実行部は、前記ノズルチェックの際、前記所定の範囲にある前記ノズルのうち、一部の前記ノズルにノズルチェックを行うことを特徴とする。
また、本発明の記録装置は、前記記録ヘッドを制御して前記記録媒体への記録を実行する記録実行部を備え、前記ノズルチェック実行部は、前記ノズルチェックの際、前記所定の範囲にある前記ノズルのうち、前記記録実行部が実行する前記記録媒体への記録の際に使用しない前記ノズルを特定し、特定した前記ノズルを除く前記ノズルの一部に前記ノズルチェックを行う。
また、本発明の記録装置は、前記記録実行部による記録に際し、前記所定の範囲の前記第１のノズル列のノズルでインクを吐出して記録する単独吐出モードを備え、前記ノズルチェック実行部は、前記ノズルチェックの際、前記単独吐出モードである場合、前記所定の範囲の前記第１のノズル列のノズルの一部にノズルチェックを行う。
また、本発明は、前記記録媒体の幅を検出する幅検出部を備え、前記ノズルチェック実行部は、前記ノズルチェックの際、前記幅検出部により検出された前記記録媒体の幅に基づいて、前記記録媒体の記録領域の外側に位置する前記ノズルを特定し、特定した前記ノズルについては前記ノズルチェックの対象から外す。
また、本発明の記録装置の制御方法は、記録媒体を搬送する搬送部と、前記記録媒体の搬送方向と交わる方向にノズルが配列された第１のノズル列及び第２のノズル列を前記搬送方向と交わる方向の所定の範囲でオーバーラップして配置する記録ヘッドと、を有し、前記第１のノズル列及び第２のノズル列のノズルの吐出不良を検出するノズルチェックの際、前記所定の範囲にある前記ノズルの一部の前記ノズルにノズルチェックを行うことを特徴とする。
また、本発明のプログラムは、記録媒体を搬送する搬送部と、前記記録媒体の搬送方向と交わる方向にノズルが配列された第１のノズル列及び第２のノズル列を前記搬送方向と交わる方向の所定の範囲でオーバーラップして配置する記録ヘッドと、を備える記録装置を制御する制御部により実行されるプログラムであって、前記制御部を、前記第１のノズル列及び第２のノズル列のノズルの吐出不良を検出するノズルチェックを実行させ、前記ノズルチェックの際、前記所定の範囲にある前記ノズルの一部の前記ノズルにノズルチェックを行わせるノズルチェック実行部として機能させることを特徴とする。
上記目的を達成するために、本発明は、記録装置であって、記録媒体を搬送する搬送部と、前記記録媒体の搬送方向と交わる方向にノズルが配列されて形成されたノズル列を複数有する記録ヘッドと、前記記録ヘッドが有する複数の前記ノズル列の前記ノズルの吐出不良を検出するノズルチェックを実行するノズルチェック実行部と、を備え、前記記録ヘッドでは、異なる前記ノズル列が、前記搬送方向と交わる方向における所定の範囲でオーバーラップするように、前記搬送方向に離間して配置されており、前記ノズルチェック実行部は、前記ノズルチェックの際、互いにオーバーラップした異なる前記ノズル列の前記オーバーラップした前記所定の範囲に属する前記ノズルについては、一部の前記ノズルに対して前記ノズルチェックを行うことを特徴とする。
ここで、上記構成の記録装置のように、記録ヘッドにおいて、異なるノズル列が、搬送方向と交わる方向における所定の範囲でオーバーラップするように、搬送方向に離間して配置されているものでは、当該オーバーラップした所定の範囲に属するノズルについて、記録に使用しない場合がある。そして、上記構成によれば、ノズルチェックに際し、互いにオーバーラップする異なるノズル列のオーバーラップした所定の範囲に属するノズルについては、一部のノズルに対してノズルチェックを行うため、記録媒体の記録に際し、使用しないノズルについてはノズルチェックを行わないといった処理を行うことができ、ノズルチェックの精度、及び、記録ヘッドが記録できる状態であることとを担保した上で、ノズルチェックに要する時間の短縮化を図ることができる。